(57)【要約】      （修正有）【課題】ポリッシャーの駆動時における移動方向変換操作時に伴う床面との隙間を閉塞して飛散を防止し使用後の運搬保管に最小の容積ですむ飛散防止装置。【解決手段】ポリッシャー本体に加工及び部品の取り付けすること無く飛散防止帯１をフレームバンド外周面にそってブラケット１６まで余裕を持ち当接するまで巻装しその両端付近の上下動自在機構２に固定する事無く逆凹型のアーム７を着脱自在に装着し、ポリッシャーと直接及び間接的に、飛散防止帯の前後を逆凹型のアーム７と飛散防止帯１に各装備された各脱落防止帯Ａ３及びＢ８と該当する各留め具ＡあるいはＣ及びＢに着脱自在に連結する。【選択図】図３
2011152385.tif 000002
【特許請求の範囲】
【請求項１】
おもに建築物における床面の清掃及び床研磨等のために使用される手動式のフロアーポリッシャー用飛散防止装置であって、本体に加工及び部品を取り付ける事無く、容易に着脱自在に装着できる、上下動自在機構と脱落防止帯Ａ及び留め具Ａあるいは留め具Ｃと留め具Ｂを備えた飛散防止帯と、装着時に飛散防止帯が上下動自在になるよう装着出来る、脱落防止帯Ｂを備えた逆凹型のアームとを備えて成る事を特徴とするフロアーポリッシャー用飛散防止装置。
【請求項２】
飛散防止帯は可撓性を有した軟弾性素材で形成され、フレームバンド外周面にそってブラケットまで余裕を持って当接するまで巻装される長さと、目的別作業装着部品を装着時に、床面よりフレーム側面上部を覆う高さがあり、該帯のほぼ両端に逆凹型のアーム外径より大きな内径を持つ筒状あるいは板バネ状の上下動自在機構と、留め具Ｂ及び前方中央上部に脱落防止帯Ａと留め具Ａあるいはその左右に留め具Ｃを、備えて成り、取り外し後平面状になる請求項１に記載のフロアーポリッシャー用飛散防止装置。
【請求項３】
逆凹型のアームは装着時、飛散防止帯両端が広がらない強度と床面に当たらない高さに形成され、飛散防止帯が上下動自在になるよう装着出来る脱落防止帯Ｂを備えている請求項１または２に記載のフロアーポリッシャー用飛散防止装置。
【請求項４】
脱落防止帯Ａ及びＢは形状及び材質は、布帯、紐、鎖、等で形成され、係り合う各留め具と装着できるボタン式又はフック式又はホック式又は磁石又は綴じ代等による着脱自在手段を有し、目的別作業装着部品を装着したとき飛散防止帯下縁が床面まで届き、フロアーポリッシャー本体を上下動したとき、飛散防止帯がフレームバンド上部より下回らない長さを備え持つ請求項１乃至３のいずれかかに記載のフロアーポリッシャー用飛散防止装置。
【発明の詳細な説明】
【技術分野】
【０００１】  本発明は、主に建築物における床面の清掃及び床研磨等のために使用されるフロアーポリッシャー用物飛散防止装置（以下飛散防止装置）に関するものである。
【背景技術】
【０００２】  従来から床面を清掃及び研磨するために使用されるフロアーポリッシャー（以下ポリッシャー）は、概略的には外カバー及びフレームに内蔵したモータに回転板、ブラシ取り付け金具等から成る駆動機構部に、プレートにブラシあるいはヤスリ又はプレート及びパット台にパットあるいはヤスリ等から成る目的別作業装着部品（以下装着部品）を、装着し床面の清掃時は洗浄液散布後又は供給しながら、また研磨時には液体を使用せずに円盤状の作業装着部品を床面に圧止しこれらを回転駆動させて床面に沿って前後左右に移動走行しながら強く擦る。また駆動走行時における移動方向変換操作にはフレームに連繋した棒状の操作ハンドルを任意方向へ手動操作でフレームを前後左右にひねり傾け制御することで移動方向を変換するものとなっている。【０００３】  従来の飛散防止装置は駆動走行時における移動方向変換操作時に、飛散防止帯下縁と床面に隙間が生じる物あるいは、ポリッシャー本体に加工直結した物あるいは一体型形成な物あるいはポリッシャー本体への加工及び部品の取り付けが必要な物となっていた。また非駆動時に装着部品を装着したままブラケットに付設した車輪を下方に突出配置して、ポリッシャー本体の移動が困難なもの、また一体型形成の物は使用後の手入れの不便及び運搬保管に最大の容積を要していた。
【発明の概要】
【発明が解決しようとする課題】
【０００４】  ポリッシャー駆動時における作業装着部品底面と床面との間に、供給及び発生あるいは存在する液体及び粉塵及び固形物が、回転する作業装着部品の遠心力作用により飛散し、周囲の壁面、巾木、什器類、家具、備品等をかえって汚損及び破損してしまう事があり、その為にその後の二次作業を面倒なものとさせていた。【０００５】  従来の飛散防止装置において、ポリッシャー本体に直結したものは、駆動走行時における移動方向変換操作時に、飛散防止装置下縁と床面に隙間が生じていた。【０００６】  また装着する為にポリッシャー本体に加工及び部品の取り付けが必要な物。または、一体型形成の物、これは使用後の手入れの不便及び運搬及び保管に最大の容積を要していた。【０００７】  さらに装着後、作業装着部品によっては高さを調整しなければならない物もあり、また非駆動時に装着したままブラケットに付設した車輪を下方に突出配置してポリッシャー本体の移動が困難な物もあった。【０００８】  そこで本発明は、前述のような従来の問題点を鑑み創出されたもので、飛散防止帯が駆動走行移動及び駆動走行時における移動方向変換操作時に、飛散防止帯下縁と床面との間に生じる間隙を閉塞することにより液体及び粉塵及び固形物の周囲へ飛散を防止し、ならびにポリッシャー本体に加工及び部品の取り付けすること無く装着でき、容易に着脱自在であり、取り外し後は平面状になることにより、使用後の手入れを容易にし、さらに運搬保管の容積を最小にし、各作業装着部品の高さに対応できさらには非駆動時に作業装着部品を装着したままポリッシャー本体を移動できることも可能にした飛散防止装置を提供することを目的とする。
【課題を解決するための手段】
【０００９】  上述した目的を達成するため、可撓性を有した軟弾性素材で形成され、フレームバンド外周面にそってブラケットまで余裕を持って当接するまでの長さと、作業装着部品を装着時に、床面よりフレーム側面上部を覆う高さがあり、該帯のほぼ両端にアーム外径より大きな内径を持つ筒状あるいは板バネ状の上下動自在機構と、留め具Ｂと、前方中央上部に装着後、飛散防止帯が上下動自可能な脱落防止帯Ａと、留め具Ａあるいはその左右に留め具Ｃを、備えた飛散防止帯を、ポリッシャー本体に加工及び部品の取り付けすること無く、フレームバンド外周面に沿ってブラケットまで余裕を持って当接するまで巻装し。装着時に飛散防止帯両端が広がらない強度と床面に当たらない高さに形成され、飛散防止帯が上下動自可能な脱落防止帯Ｂを備えている逆凹型のアームが、ブラケットを跨ぐ形にて上下動自在機構に装着され。脱落防止帯Ａは、前部取手と係り合うよう着脱自在に留め具Ａに装着あるいはフレーム前方を跨ぎ該当する留め具Ｃに、着脱自在に装着できる構成に成っており、また脱落防止帯Ｂは該当する留め具Ｂに着脱自在に装着できる構成に成っている。【００１０】  なお各脱落防止帯は、装着部品を装着したとき飛散防止帯下縁が床面まで届きポリッシャー本体を上下動したとき、飛散防止帯がフレームバンド上部より下回らない長さを備え、また脱落防止帯Ａは、飛散防止帯より取り外しが可能であり、脱落防止帯Ｂは飛散防止帯側に装備され逆凹型のアーム側にて装着することも可能である。
【発明の効果】
【００１１】  以上のように構成された飛散防止装置は、作業装着部品側面及び、下縁と床面に隙間を生じさせない効果があり、また飛散防止帯の前後が各脱落防止帯にてフレームと、直接及び間接的に上下動可能な状態に支えられている構成により、駆動走行時における移動方向変換操作時にフレームが所定の方向にひねり傾けられるとき、飛散防止帯内にて各脱落防止帯の長さの許す範囲内でフレームの上下動が阻害されない効果により、飛散防止帯下縁と床面との間に間隙が生じる事を防止し、作業装着部品の下縁と床面との間に発生あるいは存在する液体及び粉塵及び固形物の周囲への飛散防止効果を発揮する。【００１２】  また、飛散防止帯がブラケットまで余裕を持って当接するまで巻装される長さと、作業装着部品を装着時床面よりフレーム側面上部を覆う高さがあり、脱落防止帯にて上下動可能な状態に支えられているために、各作業装着部品の高さにも対応出来る効果があり。また非駆動時に装着したまま作業装着部品の取替えが出来、さらに、ブラケットに付設した車輪を下方に突出配置してポリッシャー本体の移動を可能にする効果をも発揮する。【００１３】  また、ポリッシャー本体に加工及び部品の取り付けすること無く装着された飛散防止装置は、着脱が容易に自在であり、取り外し後は飛散防止帯と逆凹型のアームは別々になる構成により、飛散防止帯は立体形成せず平面になり、使用後の手入れが容易になり運搬保管の容積が最小なる効果を発揮する。【００１４】  また、留め具ＡあるいはＢを構成することにより、フレーム上部に取手の無いポリッシャーにも装着できる効果を発揮するものである。
【図面の簡単な説明】
【００１５】
【図１】  ポリッシャーの要部の立面図である。
【図２】  本発明の平面図である。
【図３】  同じく本発明の実施の形態を示す平面図及び要部斜視図である。
【発明を実施するための形態】
【００１６】  以下、本発明の実施の形態を図１〜図３に基づいて説明する。
【００１７】  ポリッシャー本体は、概略的にモータに回転板、ブラシ取り付け金具等から成る駆動機構部が内蔵された外カバー（１０）とフレーム（１２）及び、フレーム（１２）側面に巻装されたフレームバンド（１３）と、操作ハンドル（１７）とフレーム（１２）を連結するブラケット（１６）と、車輪（１５）があり駆動機構部下部に作業装着部品（１４）を装着しそれが床面に接しこれらを回転駆動させて床面を強く擦るようになっている。駆動走行移動方向変換操作時にはフレーム（１２）に連繋した棒状の操作ハンドル（１７）を任意方向へ手動操作でフレーム（１２）全体を前後左右にひねり傾け制御することで移動方向を変換するものとなっている。
【００１８】  図２に示す飛散防止帯（１）は、可撓性を有した軟弾性素材で形成され、フレームバンド（１３）外周面にそってブラケットまで余裕を持って当接するまで巻装される長さと、作業装着部品を装着時床面よりフレーム側面上部を覆う高さがあり、該帯のほぼ両端に逆凹型のアーム（７）外径より大きな内径を持つ筒状あるいは板バネ状の上下動自在機構（２）と留め具Ｂ（６）及び前方中央上部に脱落防止帯Ａ（３）と留め具Ａ（４）あるいはその左右に留め具Ｃ（５）を備えている。
【００１９】  図２に示す逆凹型のアーム（７）は、装着時に飛散防止帯両端が広がらない強度と、床面に当たらない高さに形成され脱落防止帯Ｂ（８）を備えている。
【００２０】  各脱落防止帯は形状及び材質は、布帯、紐、鎖、等で形成され係り合う各留め具と装着できるボタン式又はフック式又はホック式又は磁石又は綴じ代等による着脱自在手段を有し、装着部品を装着したとき飛散防止帯下縁が床面まで届きポリッシャー本体を上下動したとき、飛散防止帯がフレームバンド上部より下回らない長さを備えている。
【００２１】  ポリッシャー本体に、飛散防止帯（１）をフレームバンド（１３）外周面に沿ってブラケット（１６）まで余裕を持って当接するまで巻装し、逆凹型のアーム（７）がブラケット（１６）を跨ぐ形にて上下動自在機構（２）に装着され、脱落防止帯Ｂ（８）は該当する留め具Ｂ（６）に装着できる構成になり、脱落防止帯Ａ（３）は取手（１１）と係り合うよう留め具Ａ（４）に装着あるいはフレーム（１２）前方を跨ぎ該当する留め具Ｃ（５）に装着される。
【００２２】  図示を省略したが、上下動自在機構（２）は筒状あるいは板バネ状等で構成され、装着時にアーム（７）が固定されることなく、差込あるいはスライド等にて着脱自在な構成にされている。また脱落防止帯Ａ（３）がフレーム（１２）前方を跨ぎ該当する留め具Ｃ（５）に、装着時は、脱落防止帯Ａ（３）は留め具Ａ（４）より取り外しのうえ行われる、すなわち、脱落防止帯Ａ（３）は留め具Ａ（４）及び留め具Ｃ（５）から取り外す事が出来る構成に成っており、フレーム（１２）に取手（１１）が、有るのも、あるいは、無いものに、限定するならば、留め具Ａ（４）及び留め具Ｃ（５）は該当する方だけで良いことになる。脱落防止帯Ｂ（８）は飛散防止帯（１）側に装備されアーム（７）側にて装着することも可能である。
【符号の説明】
【００２３】  １    飛散防止帯
２    上下自在機構
３    脱落防止帯Ａ
４    留め具Ａ
５    留め具Ｃ
６    留め具Ｂ
７    アーム
８    脱落防止帯Ｂ
９    脱落防止帯すべり止
１０  外カバー
１１  取手
１２  フレーム
１３  フレームバンド
１４  作業装着部品
１５  車輪
１６  ブラケット
１７  操作ハンドル
【図１】
2011152385.tif 000003
【図２】
2011152385.tif 000004
【図３】
2011152385.tif 000005